(57)【特許請求の範囲】
【請求項１】
操作スイッチが配設される前面と、該前面に対向し取付面に取り付けられる背面と、電線を外部から挿入するための電線挿入孔が設けられた所定面とを有して形成される器体と、この器体に外部から前記電線挿入孔を通じて挿入された電線を、前記器体内部の端子部と接続させる接続部とを備える回路遮断器において、前記器体の、前記電線挿入孔の周囲の部分を、前記所定面から突設するとともにこの突出部分の前面側を切り欠いて端部を有するように形成し、電線を前記電線挿入孔へガイドする電線ガイド部としたものであり、前記電線ガイド部の切り欠かれた形状の端部を、電線挿入孔の周囲の部分で所定面から突出させると共に前面側に延設させて、前面側から同電線挿入孔の周囲の部分で所定面から突出する電線ガイド部の電線受け面まで電線がガイドされる形状となしたことを特徴とする回路遮断器。
【請求項２】
前記電線挿入孔と電線ガイド部とが、前記前面側からの平面視で前記前面に略平行な方向に並ぶように複数対設けられ、前記前面に略平行な方向に並ぶ隣り合った２対の前記電線挿入孔と電線ガイド部とが、前記前面を基準とした距離を異にして形成されたことを特徴とする請求項１記載の回路遮断器。
【請求項３】
前記前面を基準とした距離が短いほうの前記電線挿入孔に、供給電力の中性相用の電線を挿入したことを特徴とする請求項２記載の回路遮断器。
【請求項４】
前記電線挿入孔と電線ガイド部とが、前記前面を基準にして斜めに向くように形成されたことを特徴とする請求項１乃至３記載の回路遮断器。
【請求項５】
前記器体の外面のうち、前記電線ガイド部の、電線受け面を、該電線受け面以外の部分とは異なる色に着色したことを特徴とする請求項１乃至４記載の回路遮断器。
【発明の詳細な説明】
【０００１】
【発明の属する技術分野】
本発明は、分電盤内に配設される回路遮断器に関する。
【０００２】
【従来の技術】
図９乃至図１１を用いて従来の回路遮断器を説明する。図９は住宅用分電盤の平面図である。図１０は住宅用分電盤内に配設される従来の回路遮断器の斜視図で、図１１は従来の回路遮断器の電線挿入孔周辺の断面図である。
【０００３】
図９に示す住宅用分電盤Ｐは、回路遮断器１を複数備え、住戸内壁面の高い位置に配設される。回路遮断器１は、器体２と、端子部３と、接続部４とを備えて構成される。器体２は、前面２ａと、背面２ｂと、所定面２ｃとを有して形成される。前面２ａには、操作スイッチＳＷが配設される。背面２ｂは、前面２ａに対向し、住宅用分電盤Ｐの取付面に取り付けられる。所定面２ｃは、側面であり、電線Ｌを外部から挿入するための電線挿入孔２ｃ１  、２ｃ１  が設けられる。
【０００４】
端子部３は、器体２の内部に収容される端子板の一部であって、板面の表面に、回路遮断器１を構成する回路部品と接続する導電パターン（不図示）が形成されており、器体２の内部に位置する。端子部３よりも前面２ａ側には、端子ネジで例示する接続部４が配設されている。接続部４は、器体２の外部から電線挿入孔２ｃ１  を通じて挿入された電線Ｌを、端子部３と接続させる役目を担う。つまり、施工業者は、電線Ｌを回路遮断器１に接続する際には、電線Ｌを電線挿入孔２ｃ１  に挿入したまま、接続部４をドライバー工具などでねじ込むことにより、電線Ｌを端子部３の導電パターン（不図示）に接触固定させる。
【０００５】
回路遮断器１は、操作スイッチＳＷが操作しやすいように、前面２ａと反対側の背面２ｂが住宅用分電盤Ｐに取り付けられる。このため、施工業者は、上記配線作業をする際には、所定面２ｃと正対することはない。
【０００６】
【発明が解決しようとする課題】
しかしながら、上述のような従来の回路遮断器においては、施工業者が上記配線作業をする際には、所定面２ｃと正対することはないため、施工業者にとっては、電線Ｌを電線挿入孔２ｃ１  に挿入する際に、電線挿入孔２ｃ１  の位置を予め確認する必要があり、面倒であった。例えば所定面２ｃが前面２ａに対して全くの垂直面であると、電線挿入孔２ｃ１  の正確な位置は容易にはわからず、手探りで電線挿入孔２ｃ１  の正確な位置を探し当てなければならなかった。このように、電線挿入孔２ｃ１  の正確な位置を探し当てるのが困難であるため、配線作業の作業効率が悪いという問題点があった。
【０００７】
本発明は上記の問題点を解決するためになされたもので、その目的とするところは、電線挿入孔の正確な位置を探し当てることができ配線作業の作業効率を向上させた回路遮断器を提供することにある。
【０００８】
【課題を解決するための手段】
請求項１記載の発明にあっては、操作スイッチが配設される前面と、該前面に対向し取付面に取り付けられる背面と、電線を外部から挿入するための電線挿入孔が設けられた所定面とを有して形成される器体と、この器体に外部から電線挿入孔を通じて挿入された電線を、器体内部の端子部と接続させる接続部とを備える回路遮断器において、器体の、電線挿入孔の周囲の部分を、所定面から突設するとともにこの突出部分の前面側を切り欠いて端部を有するように形成し、電線を電線挿入孔へガイドする電線ガイド部としたものであり、前記電線ガイド部の切り欠かれた形状の端部を、電線挿入孔の周囲の部分で所定面から突出させると共に前面側に延設させて、前面側から同電線挿入孔の周囲の部分で所定面から突出する電線ガイド部の電線受け面まで電線がガイドされる形状となしたことを特徴とする。
【０００９】
請求項２記載の発明にあっては、請求項１記載の回路遮断器において、電線挿入孔と電線ガイド部とが、前面側からの平面視で前面に略平行な方向に並ぶように複数対設けられ、前面に略平行な方向に並ぶ隣り合った２対の電線挿入孔と電線ガイド部とが、前面を基準とした距離を異にして形成されたことを特徴とする。
【００１０】
請求項３記載の発明にあっては、請求項２記載の回路遮断器において、前面を基準とした距離が短いほうの電線挿入孔に、供給電力の中性相用の電線を挿入したことを特徴とする。
【００１１】
請求項４記載の発明にあっては、請求項１乃至３記載の回路遮断器において、電線挿入孔と電線ガイド部とが、前面を基準にして斜めに向くように形成されたことを特徴とする。
【００１３】
請求項５記載の発明にあっては、請求項１乃至４記載の回路遮断器において、器体の外面のうち、電線ガイド部の、電線受け面を、該電線受け面以外の部分とは異なる色に着色したことを特徴とする。
【００１４】
【発明の実施の形態】
以下、本発明に係る回路遮断器の第１の実施の形態を図１乃至図３に基づいて、第２の実施の形態を図４と図５とに基づいて、第３の実施の形態を図６と図７とに基づいて、第４の実施の形態を図８に基づいてそれぞれ詳細に説明する。
【００１５】
［第１の実施の形態］
図１は回路遮断器の斜視図で、図２は回路遮断器の電線挿入孔周辺の断面図である。図３は住宅用分電盤の平面図である。
【００１６】
回路遮断器１は、器体２と、端子部３と、接続部４とを備えて構成される。器体２は、前面２ａと、背面２ｂと、所定面２ｃとを有して形成される。前面２ａには、操作スイッチＳＷが配設される。背面２ｂは、前面２ａに対向し、図３に示すような住宅用分電盤Ｐの取付面に取り付けられる。所定面２ｃは、側面であり、電線Ｌを外部から挿入するための電線挿入孔２ｃ１  、２ｃ１  が設けられる。
【００１７】
また、器体２の、電線挿入孔２ｃ１  、２ｃ１  の周囲の部分は、所定面２ｃから突設する角形状の電線ガイド部２ｄとして形成されている。電線ガイド部２ｄは、前面２ａ側が切り欠かれて端部２ｄ１  、２ｄ１  を有するように形成される。つまり、電線ガイド部２ｄは、前面２ａ側から覗かれると、図１に図示するように背面２ｂ側の一面であり電線挿入孔２ｃ１  に至る電線受け面２ｄ２  、２ｄ２  がみえるように、形成されている。電線ガイド部２ｄは、所定面２ｃからの突出長さＤを、ストリップゲージとして現場で活用できる長さに形成してある。施工者は、電線Ｌの被覆を剥く長さを、突出長さＤに合わせて剥けばよく、突出長さＤは、後述する端子部３に接続して導電作用を及ぼすに充分な導線長をあらわす。またさらに、電線受け面２ｄ２  、２ｄ２  は、器体２の外面のうち、該電線受け面２ｄ２  、２ｄ２  以外の部分とは異なる色に着色されている。電線受け面２ｄ２  、２ｄ２  は、例えば、停電時の暗闇でも視認しやすいように、蛍光色でカラーリングされている。
【００１８】
端子部３は、器体２の内部に収容される端子板の一部であって、板面の表面に、回路遮断器１を構成する回路部品と接続する導電パターン（不図示）が形成されており、器体２の内部に位置する。端子部３よりも前面２ａ側には、端子ネジで例示する接続部４が配設されている。接続部４は、器体２の外部から電線挿入孔２ｃ１  を通じて挿入された電線Ｌを、端子部３と接続させる役目を担う。つまり、施工業者は、電線Ｌを回路遮断器１に接続する際には、電線Ｌを電線受け面２ｄ２  、２ｄ２  に沿って電線挿入孔２ｃ１  に挿入したまま、接続部４をドライバー工具などでねじ込むことにより、電線Ｌを端子部３の導電パターン（不図示）に接触固定させる。
【００１９】
図３に示す住宅用分電盤Ｐは、回路遮断器１を複数備え、住戸内壁面の高い位置に配設される。回路遮断器１は、操作スイッチＳＷが操作しやすいように、前面２ａと反対側の背面２ｂが住宅用分電盤Ｐに取り付けられる。このため、施工業者は、上記配線作業をする際には、所定面２ｃと正対することはない。従って、施工業者にとっては、電線Ｌを電線挿入孔２ｃ１  に挿入する際に、電線挿入孔２ｃ１  の位置を予め確認する必要があるが、電線ガイド部２ｄが電線受け面２ｄ２  を露出させて突出しているので、施工業者は電線Ｌを電線受け面２ｄ２  に当ててれば、電線Ｌを楽に回路遮断器１内に挿入することができる。つまり、施工業者は、所定面２ｃ側からみずとも、前面２ａ側からみて電線ガイド部２ｄを目視で探すことにより、電線挿入孔２ｃ１  の正確な位置を知ることができるのである。
【００２０】
従って、器体２の、電線挿入孔２ｃ１  、２ｃ１  の周囲の部分を、所定面２ｃから突設するとともにこの突設部分の前面２ａ側を切り欠いて端部２ｄ１  、２ｄ１  を有するように形成し、電線Ｌを電線挿入孔２ｃ１  、２ｃ１  へガイドする電線ガイド部２ｄとしたため、例え所定面２ｃが前面２ａに対して全くの垂直面であるとしても、電線挿入孔２ｃ１  の正確な位置を、電線ガイド部２ｄ、２ｄ、電線受け面２ｄ２  、２ｄ２  を見つけることによって、容易に知ることができる。つまり、手探りで電線挿入孔２ｃ１  の正確な位置を探し当てなくともよくなり、配線作業の作業効率を向上できる。
【００２１】
また、電線ガイド部２ｄ、２ｄの、電線受け面２ｄ２  、２ｄ２  を、該電線受け面２ｄ２  、２ｄ２  以外の部分とは異なる蛍光色などに着色したため、電線挿入孔２ｃ１  の正確な位置をさらに探し当てやすくなり、電線Ｌの配設目標位置を視認しやすい。
【００２２】
また、電線ガイド部２ｄの、所定面２ｃからの突出長さＤを、ストリップゲージとして現場で活用できる長さに形成したため、電線Ｌの被覆を剥く長さを、突出長さＤに合わせて間単に計れるので、配線作業の作業効率をさらに向上できる。
【００２３】
なお、上記実施の形態においては、回路遮断器１は、速結端子タイプのものであってもよい。
【００２４】
また、上記実施の形態においては、電線ガイド部２ｄ、２ｄの突出形状を、角形状にしたが、本発明はこれに限らず、電線ガイド部の突出形状は、前面側が開いていれば、半円形など、どのような形状に形成されていてもかまわない。特に、電線受け面を、電線の被覆の一般的な外形である円筒形状に合わせてカーブをもたせて形成した場合には、施工者は、電線をぶれることなく電線挿入孔へ導くことができ、作業性をさらに向上できる。
【００２５】
また、上記実施の形態においては、電線ガイド部２ｄ、２ｄの突出長さＤを、ストリップゲージとして現場で活用できる長さに形成したものを示したが、本発明はこれに限らず、電線ガイド部の突出長さは、突出さえしていれば、施工者にとって視認しやすい長さであってよい。
【００２６】
また、上記実施の形態においては、電線受け面２ｄ２  、２ｄ２  は、蛍光色にカラーリングされたものを例示したが、本発明はこれに限らず、電線受け面は、白など、電線受け面以外の部分とは異なる色であって目立つ色に着色されていればどんな色であってもよい。
【００２７】
［第２の実施の形態］
図４は回路遮断器の斜視図で、図５は回路遮断器の電線挿入孔周辺の断面図である。なお、前述の第１の実施の形態と同一の箇所には同じ符号を付し、同一の箇所の詳細な説明は省略する。
【００２８】
この第２の実施の形態の回路遮断器が前述の第１の実施の形態の回路遮断器と異なり特徴となる構成は、電線ガイド部の端部を前面側に延設した点である。
【００２９】
所定面２ｃは、側面であり、電線Ｌを外部から挿入するための電線挿入孔２ｃ１  、２ｃ１  が設けられる。また、器体２の、電線挿入孔２ｃ１  、２ｃ１  の周囲の部分は、所定面２ｃから突設する電線ガイド部２ｄとして形成されている。電線ガイド部２ｄは、前面２ａ側が切り欠かれて端部２ｄ１  、２ｄ１  を有するように形成される。しかも、端部２ｄ１  、２ｄ１  は、前面２ａ側に延設されて斜面になっており、前面２ａ側から電線受け面２ｄ２  、２ｄ２  へ向かって電線Ｌを押し付けられると電線Ｌを電線受け面２ｄ２  、２ｄ２  までガイドできる形状になっている。
【００３０】
接続部４は、一端が電線Ｌの被覆端部に引っ掛かる鎖錠部４ａとして形成され、他端が電線Ｌの導電線部分を端子部３へ押圧する押圧片４ｂとして形成される弾性体である。また、電線挿入孔２ｃ１  の、器体２外側から内側にわたる部分には、図５に示すように、電線Ｌを導くテーパー部２ｅが形成されている。施工業者は、電線Ｌを回路遮断器１に接続する際には、電線Ｌを電線受け面２ｄ２  、２ｄ２  に沿って電線挿入孔２ｃ１  に挿入すれば、鎖錠部４ａおよび押圧片４ｂが電線Ｌの挿入力で背面２ｂ側へ弾性変形し、電線Ｌを押し込み終えると、鎖錠部４ａおよび押圧片４ｂの復元力による押圧力にまかせて電線Ｌを端子部３の導電パターン（不図示）に接触固定させることができる。このように、本実施例では、電線Ｌの結線方式は、実施例１のネジ止め方式とは異なり、速結端子方式となっている。なお、このような速結端子方式では、電線表示孔２ｆ、２ｆがあると、施工者は電線Ｌの接続完了を目視確認しやすい。電線表示孔２ｆは、電線挿入孔２ｃ１  と対になり、前面２ａの押圧片４ｂと対向する箇所に設けられた孔である。施工者は、外部から電線表示孔２ｆを通して端子部３と押圧片４ｂとを覗き込むことができる。施工者は、電線表示孔２ｆを覗き込みながら、電線Ｌを電線受け面２ｄ２  、２ｄ２  に沿って電線挿入孔２ｃ１  に挿入すれば、電線Ｌの導電線端部が押圧片４ｂによって端子部３の導電パターン（不図示）に接触固定される模様を目視確認でき、電線Ｌの導電線端部が端子部３の導電パターン（不図示）に確実に接触していることを、目視確認できる。
【００３１】
従って、電線ガイド部２ｄの端部２ｄ１  、２ｄ１  を、前面２ａ側に延設したため、前面２ａ側から電線受け面２ｄ２  、２ｄ２  へ向かって電線Ｌを押し付けると電線Ｌを電線受け面２ｄ２  、２ｄ２  までガイドでき、上述の第１の実施例に比べて、電線Ｌをより間単に電線受け面２ｄ２  、２ｄ２  ひいては電線挿入孔２ｃ１  へ導くことができる。
【００３２】
また、電線Ｌを導くテーパー部２ｅを形成したため、電線Ｌを電線挿入孔２ｃ１  へ挿入しやすく、作業性をさらに向上できる。
【００３３】
また、電線ガイド部２ｄ、２ｄの、電線受け面２ｄ２  、２ｄ２  を、該電線受け面２ｄ２  、２ｄ２  以外の部分とは異なる蛍光色などに着色したため、電線挿入孔２ｃ１  の正確な位置をさらに探し当てやすくなり、電線Ｌの配設目標位置を視認しやすい。
【００３４】
また、電線ガイド部２ｄの、所定面２ｃからの突出長さＤを、ストリップゲージとして現場で活用できる長さに形成したため、電線Ｌの被覆を剥く長さを、突出長さＤに合わせて間単に計れるので、配線作業の作業効率をさらに向上できる。
【００３５】
なお、上記実施の形態においては、接続部４は、バネに限らず、電線Ｌを端子部３に押圧して接続固定する弾性体であればよく、また、上述の実施例１のようにネジであってもよい。
【００３６】
また、上記実施の形態においては、電線受け面は、平面であっても、電線の被覆の一般的な外形である円筒形状に合わせてカーブをもたせて形成されていても、どちらでもかまわない。
【００３７】
また、上記実施の形態においては、電線ガイド部２ｄ、２ｄの突出長さＤを、ストリップゲージとして現場で活用できる長さに形成したものを示したが、本発明はこれに限らず、電線ガイド部の突出長さは、突出さえしていれば、施工者にとって視認しやすい長さであってよい。
【００３８】
また、上記実施の形態においては、電線受け面２ｄ２  、２ｄ２  は、蛍光色にカラーリングされたものを例示したが、本発明はこれに限らず、電線受け面は、白など、電線受け面以外の部分とは異なる色であって目立つ色に着色されていればどんな色であってもよい。
【００３９】
［第３の実施の形態］
図６は回路遮断器の斜視図である。図７は回路遮断器を所定面からみた側面図で、（ａ）  は２対の電線挿入孔と電線ガイド部とが、前面を基準とした距離を異にして形成されたことをあらわす説明図、（ｂ）  は２対の電線挿入孔と電線ガイド部とが、前面を基準とした距離を等しく形成されたことをあらわす説明図である。なお、前述の第２の実施の形態と同一の箇所には同じ符号を付し、同一の箇所の詳細な説明は省略する。
【００４０】
この第３の実施の形態の回路遮断器が前述の第２の実施の形態の回路遮断器と異なり特徴となる構成は、隣り合う２組の電線挿入孔と電線ガイド部とについて、前面側から計ったそれぞれの距離を、異にして形成した点である。
【００４１】
所定面２ｃは、側面であり、電線Ｌを外部から挿入するための電線挿入孔２ｃ１ａ、２ｃ１ｂが設けられる。電線挿入孔２ｃ１ａは、電線挿入孔２ｃ１ｂよりも、前面２ａを基準にして遠い位置に設けられる。従って、図７（ａ）  に示すように、電線挿入孔２ｃ１ａと電線挿入孔２ｃ１ｂとの間の間隔は、図７（ｂ）  に示すように電線挿入孔２ｃ１ａと電線挿入孔２ｃ１ｂとが前面２ａを基準とした距離を等しく形成された場合と比べて、長くなる。このため、電線挿入孔２ｃ１ａに挿入する電線Ｌと、電線挿入孔２ｃ１ｂに挿入する電線Ｌとは、図７（ａ）  の場合のほうが、離れている。
【００４２】
また、器体２の、電線挿入孔２ｃ１ａの周囲の部分は、所定面２ｃから突設する電線ガイド部２ｄａ  として形成され、器体２の、電線挿入孔２ｃ１ｂの周囲の部分は、所定面２ｃから突設する電線ガイド部２ｄｂ  として形成されている。電線ガイド部２ｄａ  、２ｄｂ  は、ともに、前面２ａ側が切り欠かれて端部２ｄ１  、２ｄ１  を有するように形成される。電線挿入孔２ｃ１ａと電線ガイド部２ｄａ  とは、電線挿入孔２ｃ１ｂと電線ガイド部２ｄｂ  と、前面２ａ側からの平面視で前面２ａに略平行な方向に並ぶように設けられている。
【００４３】
電線挿入孔２ｃ１ｂには、供給電力の中性相用の電線が挿入される。つまり、操作スイッチＳＷを操作するなど、前面２ａには、人の手が触れるため、前面２ａに近いほうの電線挿入孔である電線挿入孔２ｃ１ｂには、人の手が触れるおそれが多い。そこで、供給電力の電線Ｌのうち、感電のおそれなど危険性が比較的少ない中性相用の電線を、電線挿入孔２ｃ１ｂに挿入するようにしたのである。
【００４４】
従って、電線挿入孔２ｃ１ａ、２ｃ１ｂと電線ガイド部２ｄａ  、２ｄｂ  とが、前面２ａ側からの平面視で前面２ａに略平行な方向に並ぶように複数対設けられ、前面２ａに略平行な方向に並ぶ隣り合った２対の電線挿入孔２ｃ１ａ、２ｃ１ｂと電線ガイド部２ｄａ  、２ｄｂ  とが、前面２ａを基準とした距離を異にして形成されたため、電線挿入孔２ｃ１ａに挿入する電線Ｌと、電線挿入孔２ｃ１ｂに挿入する電線Ｌとの間隔を、前面２ａを平面視する方向で、離すことができる。このため、電線挿入孔２ｃ１ａに挿入する電線Ｌと、電線挿入孔２ｃ１ｂに挿入する電線Ｌとの間に、指を入れるためのスペースが広くとれるようになり、配線作業がし易くなる。しかも、電線挿入孔２ｃ１ａに挿入する電線Ｌと、電線挿入孔２ｃ１ｂに挿入する電線Ｌとが、間隔を離されたため、互いに及ぼし合うはずの電磁気的干渉を、受け難くできる。
【００４５】
また、前面２ａを基準とした距離が短いほうの電線挿入孔２ｃ１ｂに、供給電力の中性相用の電線Ｌを挿入したため、前面２ａ寄りの電線挿入孔である電線挿入孔２ｃ１ｂには、施工業者の手が触れやすいが、例え中性相用の電線Ｌの被覆が破れて導電線が剥き出しになってしまいその剥き出しの導電線に施工業者の手が触れたとしても、電線挿入孔２ｃ１ｂに挿入される電線Ｌは中性相用の電線であるので、施工業者が感電するおそれは少ない。
【００４６】
なお、上記実施の形態においては、接続部４は、バネに限らず、電線Ｌを端子部３に押圧して接続固定する弾性体であればよく、また、上述の実施例１のようにネジであってもよい。
【００４７】
また、上記実施の形態においては、電線受け面は、平面であっても、電線の被覆の一般的な外形である円筒形状に合わせてカーブをもたせて形成されていても、どちらでもかまわない。
【００４８】
また、上記実施の形態においては、電線ガイド部２ｄ、２ｄの突出長さＤを、ストリップゲージとして現場で活用できる長さに形成したものを示したが、本発明はこれに限らず、電線ガイド部の突出長さは、突出さえしていれば、施工者にとって視認しやすい長さであってよい。
【００４９】
また、上記実施の形態においては、電線受け面２ｄ２  、２ｄ２  は、蛍光色にカラーリングされたものを例示したが、本発明はこれに限らず、電線受け面は、白など、電線受け面以外の部分とは異なる色であって目立つ色に着色されていればどんな色であってもよい。
【００５０】
［第４の実施の形態］
図８は回路遮断器の斜視図である。なお、前述の第２の実施の形態と同一の箇所には同じ符号を付し、同一の箇所の詳細な説明は省略する。
【００５１】
この第４の実施の形態の回路遮断器が前述の第２の実施の形態の回路遮断器と異なり特徴となる構成は、電線挿入孔と電線ガイド部とを、前面を基準にして斜めに向くように形成した点である。
【００５２】
所定面２ｃは、側面であり、電線Ｌを外部から挿入するための電線挿入孔２ｃ１  、２ｃ１  が、前面２ａを基準にして斜めに向くように設けられる。すなわち、電線挿入孔２ｃ１  、２ｃ１  は、前面２ａと背面２ｂとを鉛直にして器体２を立てたような状態で、斜め下方に向くように開孔しているのである。さらに、器体２の、電線挿入孔２ｃ１  、２ｃ１  の周囲の部分は、所定面２ｃから突設する電線ガイド部２ｄとして形成されている。電線ガイド部２ｄは、前面２ａ側が切り欠かれて端部２ｄ１  、２ｄ１  を有するように形成される。電線受け面２ｄ２  、２ｄ２  は、電線挿入孔２ｃ１  、２ｃ１  に垂直に電線Ｌを挿入するよう、やはり斜め下方からの電線Ｌを、ガイドするように形成されている。
【００５３】
従って、電線挿入孔２ｃ１  、２ｃ１  と電線ガイド部２ｄとを、前面２ａを基準にして斜めに向くように形成したため、上述した第１乃至第３の実施例のように電線挿入孔２ｃ１  、２ｃ１  が鉛直方向もしくは水平方向に向くおそれのある器体２と比べて、前面２ａと背面２ｂとを鉛直または水平にすれば、電線挿入孔２ｃ１  、２ｃ１  と電線ガイド部２ｄとを、確実に、斜め上向き、または斜め下向きに向けることができる。このため、電線挿入孔２ｃ１  、２ｃ１  が鉛直方向もしくは水平方向に向く場合と比べて、電線挿入孔２ｃ１  、２ｃ１  を視認しやすいという効果を奏する。これは、従来、一般に、器体２が、住戸内の壁面に配設される住宅用分電盤に取り付けられ、電線挿入孔２ｃ１  、２ｃ１  が壁際にあって見難かったことを、前提にしている。
【００５４】
なお、上記実施の形態においては、電線受け面は、平面であっても、電線の被覆の一般的な外形である円筒形状に合わせてカーブをもたせて形成されていても、どちらでもかまわない。
【００５５】
また、上記実施の形態においては、電線ガイド部２ｄ、２ｄの突出長さＤを、ストリップゲージとして現場で活用できる長さに形成したものを示したが、本発明はこれに限らず、電線ガイド部の突出長さは、突出さえしていれば、施工者にとって視認しやすい長さであってよい。
【００５６】
また、上記実施の形態においては、電線受け面２ｄ２  、２ｄ２  は、蛍光色にカラーリングされたものを例示したが、本発明はこれに限らず、電線受け面は、白など、電線受け面以外の部分とは異なる色であって目立つ色に着色されていればどんな色であってもよい。
【００５７】
また、上記実施の形態においては、複数対の電線挿入孔と電線ガイド部との形成位置を、前面を基準として同じ距離に位置するようにしたが、上述の第３実施例のように、複数対の電線挿入孔と電線ガイド部とを、前面を基準とした距離を異にして形成してもかまわない。
【００５８】
【発明の効果】
請求項１記載の発明にあっては、器体の、電線挿入孔の周囲の部分を、所定面から突設するとともにこの突出部分の前面側を切り欠いて端部を有するように形成し、電線を電線挿入孔へガイドする電線ガイド部とし、前記電線ガイド部の切り欠かれた形状の端部を、電線挿入孔の周囲の部分で所定面から突出させると共に前面側に延設させて、前面側から同電線挿入孔の周囲の部分で所定面から突出する電線ガイド部の電線受け面まで電線がガイドされる形状となしたため、例え所定面が前面に対して全くの垂直面であって前面側からの平面視では電線挿入孔を直接探せなくても、電線挿入孔の正確な位置を、電線ガイド部電線受け面を見つけることによって、容易に知ることができる。つまり、手探りで電線挿入孔の正確な位置を探し当てなくともよくなり、配線作業の作業効率を向上できる。しかも、前面側から電線受け面へ向かって電線を押し付けると電線を電線受け面までガイドでき、電線をより簡単に電線受け面ひいては電線挿入孔へ導くことができる。
【００５９】
請求項２記載の発明にあっては、請求項１記載の発明の効果に加えて、電線挿入孔と電線ガイド部とが、前面側からの平面視で前面に略平行な方向に並ぶように複数対設けられ、前面に略平行な方向に並ぶ隣り合った２対の電線挿入孔と電線ガイド部とが、前面を基準とした距離を異にして形成されたため、それぞれの電線挿入孔に挿入する電線どうしの間隔を、離すことができる。このため、隣り合う２つの電線挿入孔にそれぞれ挿入する電線間に、指を入れるためのスペースが広くとれるようになり、配線作業がし易くなる。これは、前面側からの平面視方向からみて隣り合う２つの電線挿入孔の間隔を変更してはいないので、複数の回路遮断器を並設しても、隣の回路遮断器に挿入する電線の配線作業がし難くなることはない。しかも、隣り合う２つの電線挿入孔にそれぞれ挿入する電線が、間隔を離されたため、互いに及ぼし合うはずの電磁気的干渉を、受け難くできる。
【００６０】
請求項３記載の発明にあっては、請求項２記載の発明の効果に加えて、前面を基準とした距離が短いほうの電線挿入孔に、供給電力の中性相用の電線を挿入したため、前面寄りの電線挿入孔である電線挿入孔には手が触れやすいが、例え中性相用の電線の被覆が破れて導電線が剥き出しになってしまいその剥き出しの導電線に手が触れたとしても、電線挿入孔に挿入される電線は中性相用の電線であるので、感電するおそれは少ない。
【００６１】
請求項４記載の発明にあっては、請求項１乃至３記載の発明の効果に加えて、電線挿入孔と電線ガイド部とが、前面を基準にして斜めに向くように形成されたため、、電線挿入孔が鉛直方向もしくは水平方向に向くおそれのある器体と比べて、前面と背面とを鉛直または水平にすれば電線挿入孔と電線ガイド部とを、確実に、斜め上向き、または斜め下向きに向けることができる。このため、電線挿入孔が鉛直方向もしくは水平方向に向く場合と比べて、電線挿入孔を斜め上向きまたは斜め下向きから視認しやすいという効果を奏する。
【００６３】
請求項５記載の発明にあっては、請求項１乃至４記載の発明の効果に加えて、器体の外面のうち、電線ガイド部の、電線受け面を、該電線受け面以外の部分とは異なる色に着色したため、電線挿入孔の正確な位置をさらに探し当てやすくなり、電線の配設目標位置を視認しやすい。
【図面の簡単な説明】
【図１】本発明に係る第１の実施の形態の回路遮断器を説明する斜視図である。
【図２】同上の回路遮断器の電線挿入孔周辺の断面図である。
【図３】住宅用分電盤の平面図である。
【図４】本発明に係る第２の実施の形態の回路遮断器の斜視図である。
【図５】同上の回路遮断器の電線挿入孔周辺の断面図である。
【図６】本発明に係る第３の実施の形態の回路遮断器の斜視図である。
【図７】同上の回路遮断器を所定面からみた側面図である。
【図８】本発明に係る第４の実施の形態の回路遮断器の斜視図である。
【図９】従来の住宅用分電盤の平面図である。
【図１０】同上の住宅用分電盤内に配設される従来の回路遮断器の斜視図である。
【図１１】同上の回路遮断器の電線挿入孔周辺の断面図である。
【符号の説明】
１            回路遮断器
２            器体
２ａ        前面
２ｂ        背面
２ｃ        所定面
２ｃ１      電線挿入孔
２ｄ        電線ガイド部
２ｄ１      端部
２ｄ２      電線受け面
３            端子部
４            接続部
ＳＷ        操作スイッチ
Ｌ            電線
【図１】
0003591337.tif 000002
【図２】
0003591337.tif 000003
【図３】
0003591337.tif 000004
【図４】
0003591337.tif 000005
【図５】
0003591337.tif 000006
【図６】
0003591337.tif 000007
【図７】
0003591337.tif 000008
【図８】
0003591337.tif 000009
【図９】
0003591337.tif 000010
【図１０】
0003591337.tif 000011
【図１１】
0003591337.tif 000012